(57)【要約】【課題】本発明は、特に弱い磁場におけるＭＲ分光法により試料を分析する方法および装置に関する。【解決手段】試料を分析するための本発明の方法により、試料に過分極化媒体を加えて、その化学シフトを決定することができる。該過分極化により核の配列（ａｌｉｇｎｍｅｎｔ）の程度が大きくなり、化学シフトの測定における信号雑音比が改良される。このように、該試料が交流電磁場および静磁場Ｂ0にさらされ、該磁気共鳴が測定される。この過分極化により、比較的弱い静磁場でこの化学シフトを測定するのに十分である。本発明の観点からの弱い磁場は２００Ｇより弱い強さを有す場である。  本発明が意味する弱い磁場とは２００Ｇ以下の強度を有する場である。例えば、これらはＢ0＝０．００１、Ｔ＝１０Ｇ未満の範囲の非常に弱いものである。  弱い場における化学シフトを決定する利点として、適切な装置を比較的低コストで製造、維持できることである。
2008504541.tif 000002
【特許請求の範囲】
【請求項１】
下記のステップから構成される、試料を分析するための方法：
ａ）試料の存在により媒体中で生じた化学シフトをＭＲ分光法により決定するステップ、および
ｂ）該試料を決定したシフトを使って分析するステップ。
【請求項２】
弱い磁場、特に２００ガウスより小さい磁場、好ましくは５０ガウスより小さい磁場、特に好ましくは地球磁場において該ＭＲ分光法を行う請求項１に記載の方法。
【請求項３】
該媒体が過分極化されて該試料に加えられる、請求項１または２に記載の方法。
【請求項４】
該媒体がガス、特にキセノンであるところの前述の請求項の一つに記載される方法。
【請求項５】
−該媒体のラーモア周波数を該試料無しで決定し、
−該媒体を該試料に加えて該試料中の該媒体のラーモア周波数を決定し、
−該化学シフトがこれらの二つのラーモア周波数から算出され、特に該二つの決定したラーモア周波数の差および媒体無しによる差の算出によるものである、前述の請求項の一つに記載される方法。
【請求項６】
試料が液体である、前述の請求項の１つに記載される方法。
【請求項７】
該弱い磁場（Ｂ）が少なくとも１０-5／ｃｍ3の均質性（ΔＢ／［Ｂ＊容量］）を有す、前述の請求項の一つに記載される方法。
【請求項８】
該試料の無い状態の第１媒体のラーモア周波数を測定し、該試料中の第２媒体のラーモア周波数を測定し、ついで、これら二つのラーモア周波数から該化学シフトを決定する、前述の請求項の一つに記載される方法。
【請求項９】
第１媒体が3Ｈｅまたは13Ｃである、前述の請求項の一つに記載される方法。
【請求項１０】
該化学シフトを決定するために、第１媒体のラーモア周波数を該第２媒体のラーモア周波数上に変換（ｔｒａｎｓｆｏｒｍ）させる、前述２つの請求項の一つに記載される方法。
【請求項１１】
該化学シフトを決定するために測定される該ラーモア周波数を同じ時間および／または同じ位置で測定する、前述の請求項の一つに記載される方法。
【請求項１２】
該核磁気共鳴が磁気直流パルスで励起される、前述の請求項の一つに記載される方法。
【請求項１３】
ＭＲを行うために適した分光計
【請求項１４】
石油の特性分析を行うための前請求項に記載される分光計の使用。
【発明の詳細な説明】
【技術分野】
【０００１】
本発明は試料の存在により生じた媒体中における化学シフトを決定することにより、試料を分析するための方法および装置に関する。
【背景技術】
【０００２】
高分解能核磁気共鳴（ＮＭＲ）分光法によりそのような分析を行うことが従来技術から公知である。
【０００３】
核磁気共鳴は、均一な磁場についてラーモア歳差周波数で振動する歳差運動している核スピン集合体の測定である。この歳差運動の励起は共振高周波数の場によってもたらされる。磁気共鳴画像法（イメージング）に加え、核磁気共鳴が、特にＮＭＲ分光法において高分解能構造解明のために使用される。
【０００４】
既知の方法において、コイルで囲まれた試料チューブがＮＭＲ分光計の大磁石の小孔の間に置かれ、このチューブ中では試料中の核磁気共鳴を励起するために、ラジオ周波数発生器により高周波（ＨＦ）交流磁場Ｈ1が生じる。これは、安定で均一な磁場Ｂ0を提供し、それは交流磁場の方向に対して垂直である。励起ＨＦ場の周波数が歳差運動している核スピンと符合するときに共鳴が生じる。既知の核スピンにｌを与えると，ラーモア周波数は該核の位置における磁場効果によって定義されるが、外部的に印加した磁場Ｂ0とは正確には符号しない。すなわち、印加した磁場は、軌道電子の磁場および隣接する核の場によって減衰するので、局部的に有効な場の強さは、その印加した場の強さＢ0（反磁性原子または物質）よりも通常低い。しかしながら、核スピンの位置における場が増幅されることも、例外的に生じる（常磁性原子または物質）。この効果は、遮蔽と称され、調べる媒体のＮＭＲスペクトル中の周波数の変化（化学シフト）をもたらす。この化学シフトは、測定する核の化学的、物理的環境に依存する。したがって、試料の存在または追加により生じる媒体中の化学シフトの決定により、試料についての推論が可能となるので、試料の分析ができることになる。
【０００５】
最も調べられる核としては、陽子（1Ｈ−ＮＭＲ）が一般的である。さらに、2Ｈ、13Ｃ、19Ｆおよび31Ｐ核も一般に調べられる。
【０００６】
周知の陽子分光学方法は、０．１Ｔより強い磁場を使用しなければならないので不利である。一方、共鳴は、スペクトル中にともかく見出すことができる。すなわち、化学シフトはスペクトル中で分離されうる程に十分に大きい。小さい磁場における信号対雑音比は小さい。
【０００７】
強い磁場は十分に高い均質性および時間安定性を有しなければならないので、それを発生させるのに比較的高価であることが特に不利な点である。すなわち、そのような強い磁場は一般的には超電導磁石か高価で扱いにくい電磁石によって達成されることができるだけである。高い購買費用に加えて、この種の磁石の操作には相当な維持費を伴う。加えて、それは、この種の装置の輸送性にも制限がある。
【０００８】
ＮＭＲ分光法適用の古典的領域は化学構造の解明であり、タンパク質や他の高分子物質の分析において特に重要であり、例えば製薬産業や石油産業において使用される。生存している組織もまたＮＭＲ分光法による測定の対象でありうる。電子計算法により、植物、動物および人のＮＭＲ断面画像を作ることができ、これは“自由可動（ｆｒｅｅｌｙ  ｍｏｂｉｌｅ）”水素原子の分布を表し、かくして組織の構造と器官を示す（磁気共鳴画像法）。
【０００９】
【特許文献１】ドイツ特許：ＤＥ  １０２００４００２６４０
【発明の開示】
【発明が解決しようとする課題】
【００１０】
上述した欠点の観点から、本発明の目的はより容易な分析を行うことができるようにすることである。
【課題を解決するための手段】
【００１１】
本発明の目的は、請求項１による方法および独立の装置に関する請求項の特徴を有している一般的な装置により達成される。利点のある実施態様が独立請求項から得られる。さらに、該装置の有利な使用も明記される。
【発明を実施するための最良の形態】
【００１２】
弱く均質な磁場を使用して石油のような試料を分析することにより、複雑な測定器を著しく簡略化することができ、コストを削減することができる。均質な磁場が小さくなるほど、分析がより容易で安価にできる。地球磁場は発生させる必要が無く均質な磁場を提供する手段を省くことができるので、その中での測定は特に利点がある。試料を分析するための本発明の方法は、特に信号雑音比を改良するために、過分極化された媒体を試料に加え、過分極化媒体中に生じる該試料による化学シフトを決定することにある。この化学シフトを決定するために該媒体のラーモア周波数を測定する。以下において、試料が存在しない場合に該媒体中に生じるものがラーモア周波数である。この媒体がガスであれば、該ガス圧が実質的に０の時に生じるラーモア周波数が標準化の根拠と仮定するのが好ましい。
【００１３】
該媒体、例えば、ガスを試料に導き、そして例えば試料に溶解する。この試料が液体であれば、試料中に媒体を本来的に溶解することができる。そこでこの媒体、例えば溶解したガスのラーモア周波数を測定する。これらのラーモア周波数の差が求める化学シフトの測定値を表す。
【００１４】
該過分極化は連続的にまたは不連続的に行うことができる。基本的に、すべての既知の方法（とりわけＤＮＰ、ＰＨＩＰ）はこの目的のために適している。
【００１５】
この過分極化は光学スピン交換ポンプ（ｏｐｔｉｃａｌ  ｓｐｉｎ−ｅｘｃｈａｎｇｅ  ｐｕｍｐ）による特別に効果的な方法、すなわち、とりわけ移動性（ｍｏｂｉｌｉｔｙ）を提供する高圧偏光子および／または移動可能な偏光子により達成される。核はより大きく配列される。したがって、信号対雑音比が１０の数乗倍改良される。
【００１６】
特に大きな化学シフトを得るために、キセノンが媒体として好ましい。キセノンは石油のような多くの液体に特に好ましい形で溶解することができる。
【００１７】
例えば、キセノン、または13Ｃの化学シフトを求めるためには、過分極化により比較的弱い静磁場で十分である。本発明の意味における弱い磁場は、特に２００Ｇより小さい場である。例えば、０．００１Ｔ、すなわち１０ガウスの範囲のように非常に弱い場である。弱い場において化学シフトを決定することの利点は、（例えば、超電導磁石と比較して）、適切な機器を比較的安価に製造、維持できることである。さらに、開放状態のコンパクトな構造が可能であり、言い換えれば移動操作ができることである。したがって、辺鄙なところへの配備または地下環境（例えばボアホール）への配備さえも可能である。特に、地球磁場において測定する場合には、Ｂ0場を発生するコイル無しですますことができる。本発明による方法には遮蔽も必要としない。例えば、小電流で操作できる簡単な電磁石を使用することで、人工の弱い磁場Ｂ0を得ることができる。Ｔ２およびＴ２*時間が非常に長くなり、かつ人為的影響（ａｒｔｉｆａｃｔｓ）が現実に生じないという利点もある。後者は強力な磁場において大きな問題である。
【００１８】
十分に弱い磁場中で測定する場合には、化学シフトの決定のための核スピンの励起が直流磁気パルスにより影響されるという利点がある。これにより、核スピンの励起のための電子的システムを非常に簡単にすることができる。さらに、直流パルスにより励起する場合に表皮効果が消滅する。この場合には、困難な環境の場合と同様に、導電材料（例えば、金属パイプ）により、核スピンの励起を生じることができる。直流磁気パルスが静磁場の少なくとも２倍、好ましくは３倍の場合でも磁場は概して十分弱いものである。直流磁気パルスは方形波状が好ましい。
【００１９】
本発明の他の実施態様は、過分極化キセノンを試料に加えることである。例えば、Ｒｂ蒸気と自然のキセノンガスを使用する光学スピン交換ポンプにより、このキセノンの分極化を起こすことができる。例えば、印刷刊行物ＤＥ  １０２００４００２６４０．８に開示されているようなジェット偏光子を用いることにより、過分極化キセノンガスを発生させることができる。キセノンには化学シフトがこの元素において特に顕著であるという利点がある。例えばトルエン中に溶解したキセノンの場合、化学シフトは１８８ｐｐｍに達する。キセノンは3Ｈｅとは異なり、異なる溶解度を有す液体試料中にもぐりこませる（ｓｕｂｍｅｒｇｅ）ことができるという付加的な利点もある。
【００２０】
液体中における本発明のキセノンＮＭＲの決定的で重要な利点は、化学シフトしたＸｅＮＭＲスペクトルラインの間の距離と同様に両ライン幅が、Ｂ0と線形関係で地球磁場のスケールに至るという事実からなる。このように、スペクトル分解能は幅広い場の範囲で一定である。
【００２１】
本発明の他の実施態様としては、例えば、キセノンが媒体の時に、キセノンガスの核磁気共鳴またはラーモア周波数が該化学シフトの絶対的決定のために比較として使用される。スペクトルの対照ラインとして機能するキセノンガスの核磁気共鳴は、意味のある結果を得るためには、試料中に溶解されるキセノンのラーモア周波数と同時に測定するのが好ましい。例えば検出コイルを、試料液体に溶解したキセノンおよびガス相中のキセノンのために設ける。例えば、測定で液体トルエンに溶解したキセノンと比較して、キセノンガスの化学シフトは１８８ｐｐｍであり、かつ、１０Ｇの磁場における共鳴周波数は１１．７８ｋＨｚに過ぎない。Ｘｅガスとトルエンに溶解したキセノンのラインとの間の周波数距離は２．２１Ｈｚであり、かつ、キセノン濃度（ｃｏｎｃｅｎｔｒａｔｉｏｎ）ラインのライン幅は０．２Ｈｚより小さい。したがって、ガスおよび液体相のキセノンのピークは明確に区別することができる。この二つのラインがまだぎりぎり分離している限界は４５ｍＧ（地球磁場の約１０分の１）である。トルエンの場合のこの限界は液体中のキセノンのＴ１緩和時間（約１００秒）により決定される。
【００２２】
3Ｈｅの核磁気共鳴は本発明のさらなる利点を有す実施態様において測定される。上述したように、キセノンガスラインは試料中のキセノンの化学シフトを決定するための対照として使用することができる。キセノンガスラインの正確な位置が温度やキセノンガスの粒子密度、すなわち圧力に依存し、多くの場合、キセノンのＴ２時間が１０秒より小さくなるので、キセノンガスラインとキセノン液体のラインが重なり合い、キセノンの化学シフトの測定は、特に地球磁場中では難しくなる。キセノンガスラインまたはラーモア周波数の代わりに、3ＨｅＮＭＲガスラインを対照周波数として測定することによりこの問題が解決する。3Ｈｅラインの十分な信号強度を得るために、3Ｈｅもまた、特に光学スピン交換ポンプを使って前もって過分極化されることも良い。3Ｈｅガスのラーモア周波数核磁気共鳴信号は比較的良い対照である。何故なら、3Ｈｅラインの正確な位置が3Ｈｅガスの温度や密度の影響は無視できる程度であり、地球磁場における3Ｈｅスペクトルのライン幅は極端に小さい（Ｔ2：１０００秒またはそれ以上）からである。さらに、3Ｈｅの地球磁場中の共鳴（約１．６ｋＨｚ）はスペクトル中のキセノンのもの（約６００Ｈｚ）とはかけ離れていて、3ＨｅラインとＸｅラインとは重複しないので、お互いに不利な形で影響し合うことがない。
【００２３】
都合がよいことに、試料中のキセノンと3Ｈｅの核磁気共鳴すなわちラーモア周波数は同時に測定される。このことは、試料中のキセノンおよび3Ｈｅガス用の２個の別々の測定設備（２個の試料容量、２個の共鳴回路、２個の電子的評価システム）を使用することで可能となる。
【００２４】
これらの信号の同時測定は、該磁場の乱れや変動または測定用組立品の機械的回転を計算で修正できるので、さらなる利点がある。最後に、3Ｈｅガスまたはキセノン含有試料液体の信号は地球磁場の正確な絶対的決定のために使用することができる。
【００２５】
比較するために、同じ位置でこの二つの測定を行う。
化学シフトを決定するために、２個のラーモア周波数の片方をもう片方から減算し、ついで、その値を該媒体のラーモア周波数で割り算する。例えば3Ｈｅガスとキセノンのような二つの異なる媒体を試料に溶解して使用し、ついで、該3Ｈｅガスラインを最初にキセノンガスのライン上に変換（ｔｒａｎｓｆｏｒｍ）する。すなわち、主として次のようにする。
【００２６】
3Ｈｅおよび129Ｘｅの回転磁気比の商を計算する。すなわち、3Heγ／129Xeγ＝α。次いで、測定した3Ｈｅのラーモア周波数をαで割り算するようにして変換（ｔｒａｎｓｆｏｒｍ）する。こうして得られた値を、キセノンガスの測定したラーモア周波数の代りに対照値として使用する。
【００２７】
良い結果を得るために、静磁場は少なくとも１０-5／ｃｍ3の均質性を有している。該均質性はΔＢ／（Ｂ＊Ｖ）で定義される。ここで、Ｂは磁場、Ｖは容量、ΔＢは生じるＢ場の差である。
【図面の簡単な説明】
【００２８】
【図１】は化学シフトを表す。この化学シフトはトルエンに溶解したキセノンおよびガス相中のキセノンの共鳴ピーク間の距離であり、その距離は磁場Ｂ0が強くなると共に線形的に増加する。特に、図１（ａ）はＢ0についての共鳴スケールライン幅を示す。そういうわけで、２本の共鳴線（キセノンガスと液体中のキセノン）の分離は、地球の磁場まで可能である。ここで、無酸素のトルエンを例にする。キセノンのＴ1〜Ｔ2時間は約１００秒である。この場合、キセノン−トルエンラインのライン幅は約１０ｍＨｚである。地球磁場におけるキセノンガスとトルエン中のキセノンとの間の化学シフトは約０．１２Ｈｚである。すなわち、この二つのラインは地球磁場ではっきりと分離している。この二つのラインがまだぎりぎり分離している限界は４５ｍＧ（地球磁場の約１０分の１）のところである。その温度および溶媒のタイプに関して、該化学シフトから推論することは可能である。
【図１】
2008504541.tif 000003
【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
下記のステップから構成される、試料を分析するための方法：
ａ）試料の存在により媒体中で生じた化学シフトをＭＲ分光法により決定するステップ、
ｂ）該試料を決定したシフトを使って分析するステップ、および
ｃ）弱い磁場、特に２００ガウスより小さい磁場、好ましくは５０ガウスより小さい磁場、特に好ましくは地球磁場において該ＭＲ分光法を行うことに特徴のあるステップ。
【請求項２】
該媒体が過分極化されて該試料に加えられる、請求項１に記載の方法。
【請求項３】
該媒体がガス、特にキセノンであるところの前述の請求項の一つに記載される方法。
【請求項４】
−該媒体のラーモア周波数を該試料無しで決定し、
−該媒体を該試料に加えて該試料中の該媒体のラーモア周波数を決定し、
−該化学シフトがこれらの二つのラーモア周波数から算出される、すなわち該二つの決定したラーモア周波数の差を算出し、その差を該媒体無しで測定される媒体のラーモア周波数により割算して算出されるものである、前述の請求項の一つに記載される方法。
【請求項５】
試料が液体である、前術の請求項の１つに記載される方法。
【請求項６】
該弱い磁場（Ｂ）が少なくとも１０-5／ｃｍ3の均質性（ΔＢ／［Ｂ＊容量］）を有す、前述の請求項の一つに記載される方法。
【請求項７】
該試料の無い状態の第１媒体のラーモア周波数を測定し、該試料中の第２媒体ラーモア周波数を測定し、ついで、これら二つのラーモア周波数から該化学シフトを決定する、前述の請求項の一つに記載される方法。
【請求項８】
第１媒体が3Ｈｅまたは13Ｃである、前述の請求項の一つに記載される方法。
【請求項９】
該化学シフトを決定するために、第１媒体のラーモア周波数を該第２媒体のラーモア周波数上に変換（ｔｒａｎｓｆｏｒｍ）させる、前述２つの請求項の一つに記載される方法。
【請求項１０】
該化学シフトを決定するために測定される該ラーモア周波数を同じ時間および／または同じ位置で測定する、前述の請求項の一つに記載される方法。
【請求項１１】
該核磁気共鳴が磁気直流パルスで励起される、前述の請求項の一つに記載される方法。
【請求項１２】
ガスを過分極させるための手段、該ガスのラーモア周波数を測定するための手段およびラーモア周波数から液体の分析を行うための手段を含んでなる、前述の請求項の一つに従ってＭＲ分光測定を行うために適した分光計。
【請求項１３】
石油の特性分析を行うための前請求項に記載される分光計の使用。
【国際調査報告】
2008504541.tif 000004
2008504541.tif 000005
2008504541.tif 000006
2008504541.tif 000007
2008504541.tif 000008
2008504541.tif 000009